(57)【要約】【課題】ワイピングブレードのノズル面の清掃効果を高め、よって、高精度なインク吐出に貢献することができるインクジェットヘッド清掃装置を提供する。【解決手段】本発明のインクジェットヘッド清掃装置は、帯状の清掃布１６が巻回された布ローラ１と、清掃布１６を巻き取る巻き取り軸２と、布ローラ１から出された清掃布１６が巻き取り軸２で巻き取られるまでの巻き取り経路を形成するガイド群３とを有した清掃布ユニットとともに、インクジェットヘッドのノズル面の払拭清掃を実施するワイピングブレード４を有したワイプユニットを具備している。ガイド群３によって形成される清掃布の経路内には、ワイピングブレード４が接触する箇所と、ノズル面が接触する箇所とがある。【選択図】図１
2009286077.tif 000002
【特許請求の範囲】
【請求項１】
インクジェットヘッドのノズル面を清掃するためのインクジェットヘッド清掃装置であって、
帯状の清掃布が巻回された布ローラと、上記布ローラから上記清掃布を巻き取るように構成された巻き取り軸及び当該巻き取り軸を駆動する巻き取りモータと、上記布ローラから上記巻き取り軸まで上記清掃布をガイドするガイド群とを有した清掃布ユニット、及び
上記ノズル面をワイピングするワイピングブレードを有したワイプユニット、を具備しており、
上記ガイド群によって形成される上記清掃布の経路内には、上記ワイピングブレードが接触する箇所と、上記ノズル面が接触する箇所とがあることを特徴とするインクジェットヘッド清掃装置。
【請求項２】
上記清掃布における上記ノズル面が接触する箇所に、当該ノズル面に当該清掃布を押圧する押圧手段を具備していることを特徴とする請求項１に記載のインクジェットヘッド清掃装置。
【請求項３】
上記巻き取り軸による巻き取りによって移動する上記清掃布の移動量を計測する移動量計測手段を具備していることを特徴とする請求項１に記載のインクジェットヘッド清掃装置。
【請求項４】
上記ノズル面が接触する箇所から、上記ワイピングブレードが接触する箇所までの上記清掃布の長さを記憶する第１の記憶手段を具備していることを特徴とする請求項１に記載のインクジェットヘッド清掃装置。
【請求項５】
上記清掃布に洗浄液を滴下する洗浄液滴下手段を具備しており、
上記洗浄液滴下手段は、上記ノズル面が接触する箇所よりも上記清掃布の経路内において上記布ローラに近い位置に上記洗浄液を滴下するように構成されていることを特徴とする請求項１に記載のインクジェットヘッド清掃装置。
【請求項６】
上記洗浄液滴下手段による洗浄液の滴下位置から、上記ノズル面が接触する箇所、及び上記ワイピングブレードが接触する箇所までの上記清掃布の長さを記憶する第２の記憶手段を具備していることを特徴とする請求項５に記載のインクジェットヘッド清掃装置。
【請求項７】
上記清掃布における上記ノズル面と接触した部分に、上記ワイピングブレードが接触する構成となっていることを特徴とする請求項１に記載のインクジェットヘッド清掃装置。
【請求項８】
上記清掃布における上記ノズル面と接触した部分とは異なる部分において、上記ワイピングブレードが接触する構成となっていることを特徴とする請求項１に記載のインクジェットヘッド清掃装置。
【請求項９】
上記洗浄液滴下手段は、上記清掃布における、上記ノズル面との接触部分及び上記ワイピングブレードとの接触部分に、上記洗浄液を滴下するように構成されていることを特徴とする請求項５に記載のインクジェットヘッド清掃装置。
【請求項１０】
上記清掃布における上記ノズル面との接触部分よりも、上記清掃布における上記ワイピングブレードとの接触部分のほうが、上記洗浄液によって、より湿潤しているように構成されていることを特徴とする請求項５に記載のインクジェットヘッド清掃装置。
【請求項１１】
上記清掃布における上記ワイピングブレードとの接触部分は、上記洗浄液によって湿潤しており、
上記清掃布は、上記洗浄液によって湿潤していない部分で、上記ノズル面との接触するように構成されていることを特徴とする請求項５に記載のインクジェットヘッド清掃装置。
【請求項１２】
上記巻き取りモータは、上記清掃布における上記ノズル面と接触する箇所から、上記清掃布における上記ワイピングブレードと接触する箇所までの当該清掃布の当該帯の長さを、上記清掃布の経路内における、上記ノズル面が接触する箇所から上記ワイピングブレードが接触する箇所までの経路長よりも短くなるように、上記清掃布を巻き取るように構成されていることを特徴とする請求項１から１１までの何れか１項に記載のインクジェットヘッド清掃装置。
【請求項１３】
上記清掃布における上記ワイピングブレードと接触する箇所では、上記ワイピングブレードが上記清掃布に対して擦接するように構成されていることを特徴とする請求項１から１２までの何れか１項に記載のインクジェットヘッド清掃装置。
【請求項１４】
上記移動量計測手段によって計測した移動量の総量を記憶する第３の記憶手段を具備していることを特徴とする請求項３に記載のインクジェットヘッド清掃装置。
【請求項１５】
上記巻き取りモータによって上記巻き取り軸が駆動されている間に、上記移動量計測手段から計測結果が出されないことを検知する検知手段を具備していることを特徴とする請求項３に記載のインクジェットヘッド清掃装置。
【請求項１６】
請求項１から１５までの何れか１項に記載のインクジェットヘッド清掃装置を用いてインクジェットヘッドのノズル面を清掃するためのインクジェットヘッド清掃方法であって、
ノズル面をワイピングブレードによってワイピングする第一ヘッド清掃工程と、
上記第一ヘッド清掃工程の後に、
ノズル面を清掃布によって清掃する第二ヘッド清掃工程、及び
上記ワイピングブレードを清掃布によって清掃するブレード清掃工程を含むことを特徴とするインクジェットヘッド清掃方法。
【発明の詳細な説明】
【技術分野】
【０００１】
被印刷物に対して、加工、着色等を行う液体噴射装置に設けられたインクジェットヘッドのノズル面を清掃するためのインクジェットヘッド清掃装置及びインクジェットヘッド清掃方法に関する。
【背景技術】
【０００２】
インクジェットヘッドを搭載した、インクなどの液体を噴射して被印刷物に対して処理を行う液体噴射装置においては、近年、液体噴射装置を液晶テレビのカラーフィルター製作に使用するなど、生産装置として利用されることが多くなっている。
【０００３】
このような用途においては、特に、インクジェットヘッドから噴射するインク液滴の指定位置からの吐出ずれ量は数μｍ以内などといった非常に高い精度が求められている。
【０００４】
ところが、インクジェットヘッドでインクを吐出させる構成の場合、概して、インクのしぶき等が吐出穴であるノズル近傍に付着し、該付着インクが乾燥して増粘してくることが知られている。このようなノズル近傍への異物付着は、吐出インクが該異物に引っ張られることによる吐出ずれ量の拡大を招くことになる。このため、ノズル近傍に付着した異物を取り除くための定期的なヘッドメンテナンスを行うことが主流となっている。
【０００５】
代表的なヘッドメンテナンスとしては、特許文献１にあるような、ゴム製のワイピングブレードを、ノズルを含んだノズル面に当てて払拭清掃する方法や、特許文献２にあるような、ローラ状の布を用いて常に汚れの無い布面でノズル面を払拭清掃する方法が知られている。
【０００６】
昨今の生産装置用途の機能インクには、機能材料としてガラス材や金属材を用いたものも多く、なかには、その粒径が数μｍといった大きなものもある。
【０００７】
また、インクジェットヘッドは、吐出性能を上げるため特殊な材料や複雑な組み立て工程を経て出荷されており非常に高価なものである。
【０００８】
このような状況を踏まえると、種々のインク材料を用いてもインクジェットヘッドを傷めず長期間使用できることがヘッドメンテナンスの必須となっている。
【特許文献１】特開平５−２９３９７３号公報（１９９３年１１月９日公開）
【特許文献２】特開２００１−１７１１３５号公報（２００１年６月２６日公開）
【発明の開示】
【発明が解決しようとする課題】
【０００９】
上述したワイピングブレードによる払拭清掃は、自動車等のワイパーでもよく知られているように、被清掃面の汚れを良好に除去できる点では効果的なものである。しかしながら、機能材料を引きずりながら払拭動作が行われるため、ノズル面に擦り傷が付いてしまい、逆にインクジェットヘッドの性能を劣化させてしまうことが懸念される。このため、払拭清掃前にワイピングブレードもしくはノズル面に洗浄液を付け、付着物を浮かせて払拭清掃することで良好な清掃を行うことも考えられるが、過剰量の洗浄液を付着させると一度の払拭清掃動作ではノズル面の残液を除去することができない。そこで、湿潤状態での払拭清掃と、非湿潤状態での払拭清掃との複数回による払拭清掃も考えられるが、ここで問題になるのがワイピングブレード自体の汚れである。ワイピングブレードには、前回清掃した洗浄液を含んだ機能材料が付着するので、非湿潤状態での払拭清掃時にノズル面に傷を付けてしまうことが懸念される。ワイピングブレードを洗浄槽等に漬けて洗浄するような構成も提案されているが、これら洗浄機構はワイピングブレード洗浄用の専用のものが必要で、液量管理や洗浄槽までの移動手段など非常に複雑な機構が必要となっている。このようにワイピングブレードを使用した払拭清掃においては、ワイピングブレード自体への付着物によるノズル面へのダメージが問題となっており、またワイピングブレード自体の付着物の除去方法が問題となっている。
【００１０】
一方、上述したローラ状の布による払拭清掃については、布を送る構成であるため、上記したワイピングブレード自体の付着物の除去方法に類する問題はない。しかしながら、払拭清掃することによる機能材料の引きずりに関する問題は依然として残っている。ワイピングブレード同様に布面に過剰量の洗浄液を塗布しようとしても洗浄液は布内に広がってしまい、湿潤状態にすることが難しい。また布には、繊維クズやダストが付着していることもあり、払拭時にノズル面に付着させてしまうことも懸念されるだけでなく、ノズル面に傷を付けてしまうことも懸念される。そこで、ノズル面を布に押し当てるだけの清掃方法も考えられるが、粘度が高くなってしまった機能材料などの付着物は押し当てだけで除去することは困難である。
【００１１】
そこで、本発明は、上記の問題点に鑑みてなされたものであり、その目的は、ワイピングブレードのノズル面の清掃効果を高め、よって、高精度なインク吐出に貢献することができるインクジェットヘッド清掃装置を提供するものである。
【課題を解決するための手段】
【００１２】
本発明に係るインクジェットヘッド清掃装置は、上述した課題を解決するために、インクジェットヘッドのノズル面を清掃するためのインクジェットヘッド清掃装置であって、帯状の清掃布が巻回された布ローラと、上記布ローラから上記清掃布を巻き取るように構成された巻き取り軸及び当該巻き取り軸を駆動する巻き取りモータと、上記布ローラから上記巻き取り軸まで上記清掃布をガイドするガイド群とを有した清掃布ユニット、及び上記ノズル面をワイピングするワイピングブレードを有したワイプユニット、を具備しており、上記ガイド群によって形成される上記清掃布の経路内には、上記ワイピングブレードが接触する箇所と、上記ノズル面が接触する箇所とがあることを特徴としている。
【００１３】
上記の構成とすれば、ワイピングブレードのノズル面の清掃効果を高め、よって、高精度なインク吐出に貢献することができるインクジェットヘッド清掃装置を提供することができる。
【００１４】
具体的には、本発明のインクジェットヘッド清掃装置は、インクジェットヘッドのノズル面をワイピングブレードによる清掃と、布ローラによる清掃で行え、かつワイピングブレードの清掃を、清掃布を用いて行うことができる。そのため、例えば、ワイピングブレードによる清掃を湿潤な状態で行い、その後、清掃布の綺麗な面にノズル面を押し当てて残った付着物を除去することができる。更にワイピングブレードの清掃も同じ布ローラで行うことが出来る。
【００１５】
従って、インクジェットヘッドの吐出ずれ量を小さく保つことができ、かつインクジェットヘッドの寿命を長くすることができるので、ヘッド交換コスト、インクジェットヘッドコストの削減を実現することができる。
【００１６】
また、本発明に係るインクジェットヘッド清掃装置は、上記の構成に加えて、上記清掃布における上記ノズル面が接触する箇所に、当該ノズル面に当該清掃布を押圧する押圧手段を具備していることが好ましい。
【００１７】
上記の構成によれば、例えばインクジェットヘッドと対向する位置に、上記押圧手段として弾性部材を配置し、当該弾性部材とインクジェットヘッドで清掃布を挟み込むような構成で清掃できるので、ノズル面に付着した付着物を確実に除去することができる。
【００１８】
また、本発明に係るインクジェットヘッド清掃装置は、上記巻き取り軸による巻き取りによって移動する上記清掃布の移動量を計測する移動量計測手段を具備していることが好ましい。
【００１９】
上記の構成によれば、清掃布の移動量が分かるので清掃布の適正な使用量管理を行うことができる。
【００２０】
また、本発明に係るインクジェットヘッド清掃装置は、上記ノズル面が接触する箇所から、上記ワイピングブレードが接触する箇所までの上記清掃布の長さを記憶する第１の記憶手段を具備していることが好ましい。
【００２１】
上記の構成によれば、上記ノズル面が接触する箇所から、上記ワイピングブレードが接触する箇所までの上記清掃布の長さを記憶することができる。これにより、例えば、清掃布移動量と併用することで、清掃布を巻き取り経路内の任意の位置に移動させることができるので、清掃布を有効活用することができる。
【００２２】
また、本発明に係るインクジェットヘッド清掃装置は、上記清掃布に洗浄液を滴下する洗浄液滴下手段を具備しており、上記洗浄液滴下手段は、上記ノズル面が接触する箇所よりも上記清掃布の経路内において上記布ローラに近い位置に上記洗浄液を滴下するように構成されていることが好ましい。
【００２３】
上記の構成によれば、清掃布を洗浄液で湿潤状態にすることができるので、清掃布によるインクジェットヘッド及びワイピングブレードの清掃を非常に良好に実施することができる。
【００２４】
また、本発明に係るインクジェットヘッド清掃装置は、上記洗浄液滴下手段による洗浄液の滴下位置から、上記ノズル面が接触する箇所、及び上記ワイピングブレードが接触する箇所までの上記清掃布の長さを記憶する第２の記憶手段を具備していることが好ましい。
【００２５】
上記の構成によれば、上記洗浄液滴下手段による洗浄液の滴下位置から、上記ノズル面が接触する箇所、及び上記ワイピングブレードが接触する箇所までの上記清掃布の長さを記憶することができる。これにより、例えば、上記清掃布移動量と併用することで、清掃布を巻き取り経路内の任意の位置に移動させることができるので、清掃布の有効活用が実現できる。また洗浄液滴下位置と清掃位置の位置合わせが確実に出来る。
【００２６】
また、本発明に係るインクジェットヘッド清掃装置は、上記清掃布における上記ノズル面と接触した部分に、上記ワイピングブレードが接触する構成とすることができる。
【００２７】
上記の構成によれば、インクジェットヘッドを清掃した清掃布面でワイピングブレードの清掃を行うことで清掃布の有効利用を実現することができる。インクジェットヘッドの清掃はワイピングブレードによる清掃後に行うので清掃した後の布面もさほど汚れていない。したがって両清掃を同じ布面で行うことで清掃布の有効利用に寄与することができる。
【００２８】
また、上記とは異なり、上記清掃布における上記ノズル面と接触した部分とは異なる部分において、上記ワイピングブレードが接触する構成となっていてもよい。
【００２９】
上記の構成によれば、インクジェットヘッドの清掃面を避けてワイピングブレードの清掃ができるので、ワイピングブレードの清掃を強固に行う場合には汚れの除去を確実に行うことができる。
【００３０】
また、本発明に係るインクジェットヘッド清掃装置は、上記洗浄液滴下手段は、上記清掃布における、上記ノズル面との接触部分及び上記ワイピングブレードとの接触部分に、上記洗浄液を滴下するように構成されていることが好ましい。
【００３１】
上記の構成によれば、清掃布を洗浄液で湿潤状態にすることができるので、清掃布によるインクジェットヘッド及びワイピングブレードの清掃を非常に良好に行うことができる。
【００３２】
また、本発明に係るインクジェットヘッド清掃装置は、上記清掃布における上記ノズル面との接触部分よりも、上記清掃布における上記ワイピングブレードとの接触部分のほうが、上記洗浄液によって、より湿潤しているように構成されていることが好ましい。
【００３３】
上記の構成によれば、インクジェットヘッドの清掃時は洗浄液滴下量を少なくしているので、ノズル面に液が再付着してしまうことを防ぐことができ、他方では、ワイピングブレードの清掃時に洗浄液滴下量を多くしているので、ワイピングブレードの付着物除去を確実に行うことができる。
【００３４】
また、上記とは異なり、上記清掃布における上記ワイピングブレードとの接触部分は、上記洗浄液によって湿潤しており、上記清掃布は、上記洗浄液によって湿潤していない部分で、上記ノズル面との接触するように構成されていてもよい。
【００３５】
上記の構成によれば、インクジェットヘッドの清掃時にノズル面に付着した残液を確実に吸収させることができる。
【００３６】
また、本発明に係るインクジェットヘッド清掃装置は、上記巻き取りモータは、上記清掃布における上記ノズル面と接触する箇所から、上記清掃布における上記ワイピングブレードと接触する箇所までの当該清掃布の当該帯の長さを、上記清掃布の経路内における、上記ノズル面が接触する箇所から上記ワイピングブレードが接触する箇所までの経路長よりも短くなるように、上記清掃布を巻き取るように構成されていることが好ましい。
【００３７】
上記の構成によれば、清掃布の送り量を調節することで清掃布の消費を抑えることができ、交換頻度の抑制、清掃布コストの低減を実現することができる。
【００３８】
また、本発明に係るインクジェットヘッド清掃装置は、上記清掃布における上記ワイピングブレードと接触する箇所では、上記ワイピングブレードが上記清掃布に対して擦接するように構成されていることが好ましい。
【００３９】
上記の構成によれば、ワイピングブレードの清掃をインクジェットヘッド清掃と同じ清掃布を使用し、かつ清掃布に対してワイピングブレードを押し当てながら移動させて清掃するのでワイピングブレードの清掃効果を上げることができる。
【００４０】
また、本発明に係るインクジェットヘッド清掃装置は、上記移動量計測手段によって計測した移動量の総量を記憶する第３の記憶手段を具備していることが好ましい。
【００４１】
上記の構成によれば、清掃布の使用量を見積もることができるので清掃布の交換時期を明らかにでき、清掃布の残量が分からず空になってしまうという不慮のエラーを未然に防ぐことができる。
【００４２】
また、本発明に係るインクジェットヘッド清掃装置は、上記巻き取りモータによって上記巻き取り軸が駆動されている間に、上記移動量計測手段から計測結果が出されないことを検知する検知手段を具備していることが好ましい。
【００４３】
上記の構成によれば、清掃布の張り異常などの巻き取り異常や、布ローラ（清掃布）の終了を検知することができ、清掃異常を検出することができる。
【００４４】
また、本発明は、上記の構成を備えたインクジェットヘッド清掃装置を用いてインクジェットヘッドのノズル面を清掃するためのインクジェットヘッド清掃方法についても含まれるものである。具体的には、本発明のインクジェットヘッド清掃方法は、ノズル面をワイピングブレードによってワイピングする第一ヘッド清掃工程と、上記第一ヘッド清掃工程の後に、ノズル面を清掃布によって清掃する第二ヘッド清掃工程、及び上記ワイピングブレードを清掃布によって清掃するブレード清掃工程を含むことを特徴としている。
【発明の効果】
【００４５】
本発明に係るインクジェットヘッド清掃装置は、以上のように、帯状の清掃布が巻回された布ローラと、上記布ローラから上記清掃布を巻き取るように構成された巻き取り軸及び当該巻き取り軸を駆動する巻き取りモータと、上記布ローラから上記巻き取り軸まで上記清掃布をガイドするガイド群とを有した清掃布ユニット、及び上記ノズル面をワイピングするワイピングブレードを有したワイプユニット、を具備しており、上記ガイド群によって形成される上記清掃布の経路内には、上記ワイピングブレードが接触する箇所と、上記ノズル面が接触する箇所とがあることを特徴としている。また、本発明に係るインクジェットヘッド清掃方法は、以上のように、ノズル面をワイピングブレードによってワイピングする第一ヘッド清掃工程と、上記第１ヘッド清掃工程の後に、ノズル面を清掃布によって清掃する第二ヘッド清掃工程、及び上記ワイピングブレードを清掃布によって清掃するブレード清掃工程を有することを特徴としている。
【００４６】
以上の構成とすれば、インクジェットヘッドの吐出ずれ量を小さく保つことができ、かつインクジェットヘッドの寿命を長くすることができるので、ヘッド交換コスト、インクジェットヘッドコストの削減を実現することができる。
【発明を実施するための最良の形態】
【００４７】
〔実施の形態１〕
本発明の一実施形態を図面に基づいて説明する。尚、以下の説明では、本発明を実施するために技術的に好ましい種々の限定が付されているが、本発明の範囲は以下の実施の形態及び図面に限定されるものではない。
【００４８】
図１は、本実施形態のインクジェットヘッド清掃装置の構成を示した図である。
【００４９】
本実施形態のインクジェットヘッド清掃装置は、インクなどの液体を噴射して被印刷物に対して処理を行う液体噴射装置に搭載されたインクジェットヘッドのヘッドメンテナンスのために用いることができる。そのため、インクジェットヘッド清掃装置は、清掃布ユニット及びワイプユニットを具備している。各ユニットについて、具体的に説明する。
【００５０】
（清掃布ユニット）
清掃布ユニットは、帯状の清掃布が巻回された布ローラと、上記布ローラから上記清掃布を巻き取るように構成された巻き取り軸及び当該巻き取り軸を駆動する巻き取りモータと、上記布ローラから上記巻き取り軸まで上記清掃布をガイドするガイド群とを有している。
【００５１】
図１においては、１が帯状の清掃布１６が巻回された布ローラ、２が清掃布１６を巻き取る巻き取り軸、３が布ローラ１から出された清掃布１６が巻き取り軸２で巻き取られるまでの巻き取り経路を形成するガイド群である。
【００５２】
上記清掃布１６としては、繊維毛が細かく容易に繊維が脱落しないような布が好ましい。具体的には、ザヴィーナ（登録商標）を用いることができる。
【００５３】
また、図１の６が、巻き取り軸に直結あるいはベルト等で接続され巻き取り軸２を回転させる巻き取りモータであり、更に、７は巻き取りモータ６を駆動させる巻き取りモータドライバである。
【００５４】
また、図１の３２は、ガイド群３の１つであるエンコーダガイドであり、このエンコーダガイド３２は清掃布１６が送られることに伴って回転する回転ガイドである。
【００５５】
また、図１の３１は、ガイド群３の１つであるブレードガイドである。このブレードガイド３１はワイピングブレード４と接することができる位置に配置されている。
【００５６】
また、図１の１０は、上記エンコーダガイド３２の回転軸に設置された周期的な切り欠きが入ったエンコーダスリット、１１がエンコーダスリット１０の回転によって切り欠き有無を検知するエンコーダセンサ、１２がエンコーダセンサ１１からのパルス出力をカウントするパルスカウンタである。エンコーダスリット１０、エンコーダセンサ１１及びパルスカウンタ１２が、清掃布の移動量を計測する移動量計測手段を構成している。
【００５７】
また、図１の９は、バネ等の弾性体、及び清掃布と接する部分をスポンジ等の吸収体とで形成された押圧手段である。押圧手段９は、清掃布１６におけるノズル面が接触する箇所に配置され、ノズル面に清掃布１６を押圧するための構成である。
【００５８】
（ワイプユニット）
ワイプユニットは、ノズル面をワイピングするワイピングブレードを有している。
【００５９】
図１においては、図１の４がインクジェットヘッドのノズル面の払拭清掃（以下、第一ヘッド清掃とする）を実施するためのゴム等の弾性体からなるワイピングブレードである。
【００６０】
また、図１の５は、第一ヘッド清掃のためワイピングブレードを図１において左右方向に移動させるブレード駆動ステージであり、８はブレード駆動ステージを駆動させるブレードステージドライバである。
【００６１】
これらの構成を有する清掃布ユニット及びワイプユニットは、図１の１３に示すコントローラによる制御を受ける。
【００６２】
以上の構成を具備する本実施形態のインクジェットヘッド清掃装置は、以下の３つの清掃；
・インクジェットヘッドのノズル面をワイピングブレード４によって清掃する第一ヘッド清掃
・インクジェットヘッドのノズル面を清掃布１６によって清掃する第二ヘッド清掃
・ワイピングブレード４を清掃布１６によって清掃するブレード清掃
を行うことができる。以下に、各清掃動作について説明する。
【００６３】
（第一ヘッド清掃）
図２は、第一ヘッド清掃時の様子を示した図である。尚、図２の１４はインクジェットヘッド、１５は図示しないノズル穴が形成されたノズル面である。
【００６４】
インクジェットヘッド１４を、図２のような第一ヘッド清掃位置にくるよう、図示しない移動機構によって上下左右方向に移動させる。次に、ブレード駆動ステージ５を、図２に示す状態〔Ｉ〕→〔ＩＩ〕→〔ＩＩＩ〕の順に移動させる。ノズル面１５に対してワイピングブレード４が接していない状態〔Ｉ〕からブレード駆動ステージ５を移動させていくと、ノズル面１５に沿ってワイピングブレード４が撓む状態〔ＩＩ〕になり、この状態で更にブレード駆動ステージ５を移動させるとノズル面１５の全面に渡って状態〔ＩＩ〕のままノズル面１５を払拭しながら進み、やがてノズル面１５の領域を過ぎると当接は解除される（状態〔ＩＩＩ〕）。
【００６５】
このように第一ヘッド清掃は、ワイピングブレード４を撓ませながらノズル面１５を移動することでワイピングブレード４の弾性力でノズル面に押圧しながら払拭清掃し、ノズル面１５に付着したインクのしぶきなどの付着物を除去するものである。
【００６６】
ここで、第一ヘッド清掃においては、ノズル面１５が湿潤な状態であることが望ましい。これは、ノズル面１５の付着物が乾燥状態であれば、ノズル面１５に接した状態で払拭移動することによってノズル面１５に傷を付けてしまうことを防ぐためである。ノズル面１５を湿潤にすることによって、該付着物はノズル面１５への接触状態が緩和され、第一ヘッド清掃によるノズル面１５への傷付きを抑制することができる。
【００６７】
ノズル面１５を湿潤にする方法としては、ノズル面１５において開口しているノズル穴からインクを浸み出させる方法、あるいは、ノズル面１５を洗浄液などに浸漬する、もしくは洗浄液などをノズル面１５に塗布するなどといった方法が挙げられる。
【００６８】
（第二ヘッド清掃）
図３は、第二ヘッド清掃時の様子を示した図である。
【００６９】
インクジェットヘッド１４を、図３のような第二ヘッド清掃位置にくるよう、図示しない移動機構によって上下左右方向に移動させて清掃布１６に当接させる。ノズル面１５が清掃布１６に当接することでノズル面１５に付着した付着物が除去される。ここで、ノズル面１５の、清掃布１６を挟んて対向側には、上記押圧手段９が配設されている。この押圧手段９によって、ノズル面１５に対して適度な押圧を加えノズル面１５を清掃布１６に対して隙間なく均一に押すようにすることができ、良好な付着物除去効果を得ることがでいる。
【００７０】
第二ヘッド清掃では、ノズル面１５へのダメージを考慮して、清掃布１６に対してノズル面１５を抑えるつけるだけの清掃としている。すなわち、ノズル面１５と清掃布１６とが当接している間は、清掃布１６は移動しない。このため、付着物の除去を確実なものとするために、第二ヘッド清掃よりも先に、第一ヘッド清掃を実施して予め付着物の除去動作を実行しておくことが望ましい。
【００７１】
また、第二ヘッド清掃では、第一ヘッド清掃で残った洗浄液、及び第一ヘッド清掃によってノズル面１５への粘着力が落ちた付着物を清掃布１６に転写させて除去する。
【００７２】
ここで、清掃布１６に関して一度清掃に使用した箇所を、巻き取りモータ６を駆動して巻き取ってしまうことによって、付着物の無い綺麗な面を常に使用して清掃することができる。このときの清掃布１６の送り量は、上記エンコーダガイド３２の回転軸に設置されたエンコーダスリット１０の回転を検出するエンコーダセンサ１１のパルス出力をパルスカウンタ１２でカウントし、上記コントローラ１３によってノズル面１５の押し当て幅に相当するパルス数だけ巻き取りモータ６を駆動すれば良い。これにより、常に綺麗な面での清掃が実現でき、清掃布１６の効率的な使用が可能になる。
【００７３】
（ブレード清掃）
図４は、ブレード清掃時の様子を示した図である。
【００７４】
ブレード清掃は、ワイピングブレード４を、上記ブレードガイド３１に擦接するようにブレード駆動ステージ５を左右方向に移動させて行う。具体的には次の通りである。
【００７５】
図４の右方向への移動〔１〕によって、ワイピングブレード４の右側面に付着した第一ヘッド清掃による洗浄液ならびに除去された付着物を清掃布１６に吸い取らせ、次に左方向への移動〔２〕によってワイピングブレード４の左側面に付着した第一ヘッド清掃による洗浄液ならびに除去された付着物を清掃布１６に吸い取らせる。このようにワイピングブレード４の移動によって清掃布１６とワイピングブレード４が接する位置に配置することでワイピングブレード４の清掃を実現することができる。
【００７６】
ここでも、清掃布１６に関して、一度のワイピングブレード清掃に使用した箇所は巻き取りモータ６を駆動して巻き取ることによって常に綺麗な面を使用した清掃が実現できる。このときの清掃布１６の送り量は、エンコーダスリット１０の回転を検出するエンコーダセンサ１１のパルス出力をパルスカウンタ１２でカウントし、コントローラ１３によってワイピングブレード４の擦接幅に相当するパルス数だけ巻き取りモータ６を駆動すれば常に綺麗な面での清掃を実現することができ、清掃布１６の効率的な使用が可能になる。
【００７７】
このように本実施形態によれば、ノズル面１５に付着した粘度の高くなった付着インクやダストを、ノズル面１５を傷つけることなく除去することができる。更に、ワイピングブレード４も専用の清掃機構を装備することなく清掃することができる。
【００７８】
〔実施の形態２〕
以下、本発明の第２の実施形態について説明する。尚、以下の説明は、上記実施の形態１との相違点のみを説明する。
【００７９】
上記実施の形態１では、清掃布１６の送り量を、エンコーダガイド３２の回転軸に設置されたエンコーダスリット１０の回転を検出するエンコーダセンサ１１のパルス出力をパルスカウンタ１２でカウントし、上記コントローラ１３によって制御している。これに対して、本実施形態では、清掃布１６の送り量を、布ローラ１から巻き取り軸２までの清掃布１６の経路長によってコントロールする。このように構成することによって、より確実な清掃、効率的な清掃布１６の使用を実現することができる。以下、本実施形態について説明する。
【００８０】
図５は、本実施形態のインクジェットヘッド清掃装置の構成を示す図である。
【００８１】
図５に示すように、本実施形態では、図１の構成に加えて、第１の記憶手段１７を備えている。
【００８２】
上記第１の記憶手段１７には、図５に示す第二ヘッド清掃位置ａからブレード清掃位置ｂまでの清掃布１６の経路長、すなわち帯の長さ、［ａ−ｂ］が格納されている。ここで、第二ヘッド清掃位置ａとは、第一ヘッド清掃におけるノズル面１５の押し当て幅の中心位置であり、ブレード清掃位置ｂとは、ブレード清掃におけるワイピングブレード４の擦接幅の中心位置を示す。
【００８３】
経路長［ａ−ｂ］が分かっていることによって、コントローラ１３から清掃布１６の送り量を決定するときに第一ヘッド清掃を実施した清掃布１６面によって、再度、ブレード清掃を実施してしまうといったことを回避でき、ブレード清掃をより確実に実施することができる。また、清掃布１６の経路長［ａ−ｂ］の間に複数回の第一ヘッド清掃及びブレード清掃を実施することもできるので、清掃布１６の使用量を削減し効率的な使用が可能になる。尚、より詳細な送り量制御のため、経路長［ａ−ｂ］に加えて第一ヘッド清掃におけるノズル面１５の押し当て幅、ブレード清掃におけるワイピングブレード４の擦接幅も保持しておくことが望ましい。
【００８４】
〔実施の形態３〕
以下、本発明の第３の実施形態について説明する。尚、以下の説明は、上記実施の形態１との相違点のみを説明する。
【００８５】
上記実施の形態１では、清掃布１６は洗浄液によって湿潤していない構成であったが、これに対して、本実施形態では、清掃布１６に洗浄液を滴下する洗浄液滴下手段を設けることによって、清掃効果をより一層高めている。更に、本実施形態では、洗浄液滴下位置ｃから第二ヘッド清掃位置ａ及びブレード清掃位置ｂまでの清掃布１６の経路長［ｃ−ａ］及び［ｃ−ｂ］を格納した記憶手段（以下、上記実施の形態２にて説明した第１の記憶手段と区別するために第２の記憶手段と記載する）を備えている。以下、本実施形態について説明する。
【００８６】
図６は、本実施形態のインクジェットヘッド清掃装置の構成を示す図である。
【００８７】
上記洗浄液滴下手段は、図６の１８で示す滴下ノズル、１９で示す滴下ポンプ、２０で示す洗浄液ビン、２１で示すポンプドライバによって構成されている。
【００８８】
上記滴下ポンプ１９は、コントローラ１３がポンプドライバ２１を介して駆動されることによって洗浄液を滴下するように構成されている。
【００８９】
このように、本実施形態によれば、清掃布１６に対して洗浄液を滴下して第二ヘッド清掃、ブレード清掃を実施することで付着物の除去能力を高めることができる。
【００９０】
更に、本実施形態のインクジェットヘッド清掃装置は、洗浄液滴下位置ｃから、第二ヘッド清掃位置ａ及びブレード清掃位置ｂまでの清掃布１６の経路長［ｃ−ａ］及び［ｃ−ｂ］を格納した第２の記憶手段２２を備えている。第２の記憶手段２２を備えたことによって、洗浄液を第一ヘッド清掃におけるノズル面１５の押し当て幅あるいはブレード清掃におけるワイピングブレード４の擦接幅分だけに滴下して、滴下布面を確実に第二ヘッド清掃位置ａ及びブレード清掃位置ｂに移動させることができる。そのため、洗浄液を削減しながらも洗浄液による清掃による付着物の除去能力を高めることができる。
【００９１】
洗浄液の滴下幅は、擦接幅ないしは押し当て幅とすればよいが、清掃布１６は洗浄液を滴下すれば繊維の毛細管力によって洗浄液が濡れ広がっていくものなので清掃位置ａ、ｂに留めて滴下しても構わない。
【００９２】
また、第二ヘッド清掃とブレード清掃とで洗浄液の滴下量を変えることも洗浄液の効率的な使用、清掃効果の向上に有意義である。この一例におけるコントローラ１３による洗浄液滴下と清掃布１６送りの処理を、第二ヘッド清掃とブレード清掃の実施と合わせて図７を用いて説明する。尚、図７は、説明の便宜上、清掃布１６を、経路を形成せずに直線的に示している。
【００９３】
（１）清掃布１６に対して洗浄液を滴下する。このときの滴下量はブレード清掃用に設定した量であり、滴下ポンプ１９の駆動時間で管理する。
【００９４】
（２）清掃布１６を［ａ−ｂ］／３だけ送る。これは巻き取りモータ６を、巻き取りモータドライバ７を介して駆動することで行う。そして清掃布１６に対して洗浄液を滴下する。このときの滴下量は第二ヘッド清掃用に設定した量であり、滴下ポンプ１９の駆動時間で管理する。
【００９５】
（３）清掃布１６を［ａ−ｂ］／３だけ送り、ブレード清掃用の洗浄液を滴下する。
【００９６】
（４）ブレード清掃位置ｂの直前まで（３）を繰り返し実施する。なお洗浄液量は第二ヘッド清掃用、ブレード清掃用を交互に滴下する。
【００９７】
（５）清掃布１６を［ｃ−ａ］−［ａ−ｂ］／３だけ送る。第二ヘッド清掃位置ａ及びブレード清掃位置ｂにそれぞれ設定した洗浄液が滴下された布面が到来する。この位置で第二ヘッド清掃及びブレード清掃を実施する。
【００９８】
（６）清掃布１６を２×［ａ−ｂ］／３−［ｃ−ａ］だけ送り、ブレード清掃用の洗浄液を滴下する。
【００９９】
（７）清掃布１６を［ａ−ｂ］／３だけ送り、第二ヘッド清掃用の洗浄液を滴下する。
【０１００】
（８）清掃布１６を［ｃ−ａ］−［ａ−ｂ］／３だけ送る。第二ヘッド清掃位置ａ及びブレード清掃位置ｂにそれぞれ設定した洗浄液が滴下された布面が到来する。この位置で第二ヘッド清掃及びブレード清掃を実施する。
【０１０１】
以下、上記（６）から上記（８）を繰り返す。上記では経路長［ａ−ｂ］／３ごとに清掃を実施しているが、これにこだわるものではない。
【０１０２】
このように洗浄液滴下位置ｃ、第二ヘッド清掃位置ａ、ブレード清掃位置ｂの清掃布１６に関する経路長の情報を第２の記憶手段２２に格納しておくことで、洗浄液ならびに清掃布１６を効率的に使用しながらノズル面１５及びワイピングブレード４の清掃を実施することができる。尚、格納する情報としては経路長ではなく上で説明した（ａ−ｂ）／３などの送り量であってもよい。
【０１０３】
このように経路長を格納しておくことで、種々の送り量制御が実現できる。以下に他例を示す。また上例で示したように第二ヘッド清掃位置ａ、ブレード清掃位置ｂまでの経路長ａ−ｂより短い経路において複数回の清掃を行うことができ、清掃布１６の使用量削減が実現できる。
【０１０４】
洗浄液の使用量を更に削減したい場合には、第二ヘッド清掃で使用した清掃布面をブレード清掃でも使用することも効果的である。清掃布面は洗浄液が含浸されているので第二ヘッド清掃で使用した布面を再度ブレード清掃に使用しても清掃効果は保持している。
【０１０５】
この場合は、経路長［ａ−ｂ］（＝経路長［ｃ−ｂ］−経路長［ｃ−ａ］）を整数ｎ（ｎは１以上）で分割した長さ［ａ−ｂ］／ｎごとに洗浄液を滴下し、その滴下した位置で第二ヘッド清掃、ブレード清掃を実施することで実現できる。
【０１０６】
また一方でブレード清掃の清掃効果を重視したい場合には、第二ヘッド清掃で使用した清掃布面はブレード清掃では使用しないように送り量を制御すればよい。ブレード清掃においても常に清潔な布面で清掃できるため清掃効果が高められる。
【０１０７】
更に、ブレード清掃では洗浄液を滴下した布面で清掃したほうが清掃効果は高まると考えられるが、第二ヘッド清掃においては、洗浄液を滴下しない布面で清掃したほうが、付着物の除去効果は高まることある。これは洗浄液を滴下することで清掃布１６の許容吸水量に近づいてしまい肝心の付着物の吸水効果が薄れてしまうためである。従って、単に吸水できれば良いような場合には第二ヘッド清掃位置ａにおける洗浄液の滴下は行わないことが清掃効果を高めることになる。
【０１０８】
〔実施の形態４〕
以下、本発明の第４の実施形態について説明する。尚、以下の説明は、上記実施の形態１との相違点のみを説明する。
【０１０９】
図８は、本実施形態のインクジェットヘッド清掃装置の構成を示す図である。本実施形態のインクジェットヘッド清掃装置は、図１に示した構成に加えて、パルスカウンタ１２のトータルカウント数を格納する記憶手段（以下、上記実施の形態２の第１の記憶手段、及び実施の形態３の第２の記憶手段と区別するために第３の記憶手段と記載する）を備えている。コントローラ１３ではパルスカウンタ１２のカウント数を積算して総数を図８に示す第３の記憶手段１８に記憶させる。パルスカウンタ１２の１パルス当りの清掃布１６の移動量は、エンコーダガイド３２の直径、エンコーダスリット１０のスリット数から計算できるので、総パルス数から移動した清掃布１６の長さを計算することができる。従って、この総カウント数をチェックすることで布ローラ１の終了もしくは終了間近を検知することができる。このため、布ローラ１の終了による清掃未実行を防止することができる。
【０１１０】
更にコントローラ１３によって巻き取りモータ６を駆動させた時のパルスカウンタ１２の更新を監視しておくことで巻き取り異常や布ローラ１の終了を検知することができるので、清掃未実行、清掃不良を防止することができる。すなわち、コントローラ１３は、巻き取り異常や布ローラ１の終了を検知する検知手段としての機能を備えている。
【０１１１】
尚、本発明は上述した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０１１２】
本発明のインクジェットヘッド清掃装置は、ノズル面に付着した粘度の高くなった付着インクやダストを、ノズル面を傷つけることなく除去することができるとともに、ワイピングブレードもそれ専用の清掃機構を装備することなく清掃することできる。
【０１１３】
従って、インクジェットヘッドを搭載するあらゆる種類の液体噴射装置に適用することができる。
【図面の簡単な説明】
【０１１４】
【図１】本発明に係るインクジェットヘッド清掃装置の一実施形態の構成を示した図である。
【図２】図１に示したインクジェットヘッド清掃装置の一部分を、清掃対象であるインクジェットヘッドとともに示した図であり、第一ヘッド清掃の様子を示している。
【図３】図１に示したインクジェットヘッド清掃装置の一部分を、清掃対象であるインクジェットヘッドとともに示した図であり、第二ヘッド清掃の様子を示している。
【図４】図１に示したインクジェットヘッド清掃装置の一部分を示した図であり、ブレード清掃の様子を示している。
【図５】本発明に係るインクジェットヘッド清掃装置の他の実施形態を示した図である。
【図６】本発明に係るインクジェットヘッド清掃装置の他の実施形態を示した図である。
【図７】本発明に係るインクジェットヘッド清掃装置において用いられる清掃布の移動例を示す図である。
【図８】本発明に係るインクジェットヘッド清掃装置の他の実施形態を示した図である。
【符号の説明】
【０１１５】
１  布ローラ
２  巻き取り軸
３  ガイド群
４  ワイピングブレード
５  ブレード駆動ステージ
６  巻き取りモータ
７  巻き取りモータドライバ
８  ブレードステージドライバ
９  押圧手段
１０  エンコーダスリット
１１  エンコーダセンサ
１２  パルスカウンタ
１３  コントローラ
１４  インクジェットヘッド
１５  ノズル面
１６  清掃布
１７  第１の記憶手段
１８  第３の記憶手段
１９  滴下ポンプ
２０  洗浄液ビン
２１  ポンプドライバ
２２  第２の記憶手段
３１  ブレードガイド
３２  エンコーダガイド
【図１】
2009286077.tif 000003
【図２】
2009286077.tif 000004
【図３】
2009286077.tif 000005
【図４】
2009286077.tif 000006
【図５】
2009286077.tif 000007
【図６】
2009286077.tif 000008
【図７】
2009286077.tif 000009
【図８】
2009286077.tif 000010